(57)【要約】【課題】  ユーザ操作を介することなく、一部のデジタル放送波において受信状況が悪い場合でもより確実に現在時刻設定を行うことができるデジタル放送受信装置を提供する。【解決手段】  受信履歴管理部１６に受信履歴情報を蓄積し、この受信履歴情報に基づいて、ＢＳデジタル放送、１１０度ＣＳデジタル放送、地上デジタル放送を順次切り替えて地上デジタル放送用アンテナ１又はＢＳ／１１０度ＣＳデジタル放送用アンテナ３で受信して現在時刻情報を取得し、この現在時刻情報に基づいて現在時刻設定を行う。【選択図】  図１
2007027855.tif 000002
【特許請求の範囲】
【請求項１】
種別の異なる複数のデジタル放送波を受信する受信手段と、
現在時刻を計時する時計手段と、
受信したデジタル放送波の履歴を示す受信履歴情報を蓄積する受信履歴管理手段と、
前記受信履歴情報に基づいて前記受信手段で前記複数のデジタル放送波を順次切り替えて受信して現在時刻情報を取得し、前記現在時刻情報に基づいて前記時計手段の現在時刻設定を行うように制御する制御手段と
を有することを特徴とするデジタル放送受信装置。
【発明の詳細な説明】
【技術分野】
【０００１】
本発明は、デジタルテレビ放送を受信するためのデジタル放送受信装置に関する。
【背景技術】
【０００２】
一般に、デジタル放送受信装置は現在時刻を管理する時計機能を備えており、予約録画や予約視聴等の時刻に基づく動作を実施する際に利用している。
【０００３】
そして、ＢＳ／１１０度ＣＳデジタル放送あるいは地上デジタル放送といった種別の異なる複数のデジタル放送はどれも、現在時刻を示す現在時刻情報が定期的に伝送されており、この現在時刻情報を利用してデジタル放送受信装置が具備する時計の設定及び校正を行うことが可能となっている。
【０００４】
例えば、特許文献１に開示されたデジタル衛星放送受信機では、ユーザが視聴を行っていないスタンバイモード中においても定期的にデジタル放送を受信して時計の校正を行っている。
【特許文献１】特開２０００−３４１１５２号公報
【発明の開示】
【発明が解決しようとする課題】
【０００５】
現在のデジタル放送受信装置では、製造コストを安くするために、時計をバックアップするためのバッテリを備えていないことがある。この場合、停電の発生やＡＣコンセントの抜き差し等により完全な電源オフの状態になると、現在時刻情報が失われてしまうため、電源の復帰後は現在時刻の設定を行わなければ予約録画や予約視聴等の時刻に基づく動作を実施することができない。
【０００６】
このとき、天候不順等により受信状況が悪いと、デジタル放送波の受信を行っても現在時刻情報を取得することができず、現在時刻設定を行うことができないという問題があった。
【０００７】
そこで本発明は、通電された際にユーザ操作を介することなく、一部のデジタル放送波において受信状況が悪い場合でもより確実に現在時刻設定を行うことができるデジタル放送受信装置を提供することを目的とする。
【課題を解決するための手段】
【０００８】
本発明のデジタル放送受信装置は、種別の異なる複数のデジタル放送波を受信する受信手段と、現在時刻を計時する時計手段と、受信したデジタル放送波の履歴を示す受信履歴情報を蓄積する受信履歴管理手段と、前記受信履歴情報に基づいて前記受信手段で前記複数のデジタル放送波を順次切り替えて受信して現在時刻情報を取得し、前記現在時刻情報に基づいて前記時計手段の現在時刻設定を行うように制御する制御手段とを有することを特徴とする。
【発明の効果】
【０００９】
本発明のデジタル放送受信装置によれば、受信したデジタル放送波の履歴を示す受信履歴情報を蓄積し、この受信履歴情報に基づいて複数のデジタル放送波を順次切り替えて受信して現在時刻情報を取得し、この現在時刻情報に基づいて時計手段の現在時刻設定を行うので、時計手段をバッテリなどでバックアップせず、停電等により現在時刻情報が失われてしまった場合でも、通電された際にユーザ操作を介することなく現在時刻設定動作を行い、一部のデジタル放送波において受信状況が悪い場合でも複数のデジタル放送波を順次切り替えて受信して現在時刻情報を取得し、より確実に現在時刻設定を行うことができる。
【００１０】
さらに、デジタル放送受信装置が備える時計手段をバッテリなどでバックアップする必要がなくなるため、製造コストを安くすることができる。
【発明を実施するための最良の形態】
【００１１】
以下、本発明のデジタル放送受信装置を実施するための最良の形態について、図面を参照して説明する。
【００１２】
図１は本発明の実施の形態に係るデジタル放送受信装置の構成を示すブロック図である。
【００１３】
地上デジタル放送用アンテナ１は、地上デジタル放送波を受信して放送信号を地上デジタル放送用チューナ部２に供給する。
【００１４】
ＢＳ／１１０度ＣＳデジタル放送用アンテナ３は、ＢＳデジタル放送波及び１１０度ＣＳデジタル放送波を受信して放送信号をＢＳ／１１０度ＣＳデジタル放送用チューナ部４に供給する。
【００１５】
地上デジタル放送用チューナ部２は、地上デジタル放送用アンテナ１から入来する放送信号についてシステム制御部１５から指示されたチャンネルへのチューニングを行って多重分離部５にストリームを供給する。
【００１６】
ＢＳ／１１０度ＣＳデジタル放送用チューナ部４は、ＢＳ／１１０度ＣＳデジタル放送用アンテナ３から入来する放送信号についてシステム制御部１５から指示されたチャンネルへのチューニングを行って多重分離部５にストリームを供給する。
【００１７】
多重分離部５は、地上デジタル放送用チューナ部２又はＢＳ／１１０度ＣＳデジタル放送用チューナ部４から入力されるいずれかのストリームから映像データ、音声データ、時刻情報データを分離して、映像デコード部６、音声デコード部７、時刻情報処理部８にそれぞれ供給する。
【００１８】
映像デコード部６は、多重分離部５から供給された符号化された映像データのデコード処理を行い、映像信号処理部９に出力する。映像信号処理部９は、映像デコード部６から供給された映像データを映像信号に変換して映像表示部１１に出力する。
【００１９】
音声デコード部７は、多重分離部５から供給された符号化された音声データのデコード処理を行い、音声信号処理部１０に出力する。音声信号処理部１０は、音声デコード部７から供給された音声データを音声信号に変換して音声出力部１２に出力する。
【００２０】
時刻情報処理部８は、多重分離部５から供給された時刻情報データから現在時刻情報を抽出してシステム時計部１３に供給する。
【００２１】
システム時計部１３は、時計を備え、時計のカウント処理を行って現在時刻をシステム制御部１５に提供するとともに、時刻情報処理部８から供給される現在時刻情報によって時計の校正を行う。また、システム時計部１３はバックアップ電源を有さず、電源部１７から供給される直流電源により作動する。
【００２２】
操作入力部１４は、ユーザ操作により入力される指示を受けて、操作情報をシステム制御部１５に供給する。
【００２３】
システム制御部１５は、電源オン／オフ、選局、映像及び音声の出力、システム時計部１３の時計の設定及び校正、受信履歴処理などにおいてシステムの制御を行う。また、操作入力部１４からユーザの操作情報を受けて、電源オン状態においては、地上デジタル放送用チューナ部２又はＢＳ／１１０度ＣＳデジタル放送用チューナ部４に選局指示を出力し、ユーザに指定されたチャンネルを選局し、映像及び音声を出力するように制御する。また、視聴や録画のために受信を行った際の受信履歴情報を受信履歴管理部１６に供給する。
【００２４】
受信履歴管理部１６は、システム制御部１５から供給される受信チャンネル情報を不揮発メモリ（図示せず）に順次蓄積するとともに、システム制御部１５に対して蓄積された受信履歴情報を提供する。
【００２５】
電源部１７は、ＡＣコンセントからの交流電圧を整流して直流電圧に変換し、この直流電圧を装置の各部に供給して各部を作動させる。
【００２６】
次に、本発明の実施の形態に係るデジタル放送受信装置の現在時刻設定動作を説明する。図２は図１に示すデジタル放送受信装置の現在時刻設定動作を示すフローチャートである。
【００２７】
ＡＣコンセントを差し込むなどして通電が行われると、まずステップＳ１０では、システム制御部１５は、受信履歴管理部１６に蓄積された受信履歴情報をもとに最後に受信を行ったチャンネルを選局する。ここでは例としてＢＳデジタル放送の１０３チャンネルを選局することとし、システム制御部１５は、選局指示をＢＳ／１１０度ＣＳデジタル放送用チューナ部４に出力する。
【００２８】
ＢＳ／１１０度ＣＳデジタル放送及び地上デジタル放送においては、現在時刻を示す現在時刻情報が少なくとも５秒間隔で送出されており、受信状況が正常であれば、ＢＳ／１１０度ＣＳデジタル放送用チューナ部４、多重分離部５及び時刻情報処理部８を介してシステム時計部１３に現在時刻情報が入力され、時計の設定が行われる。
【００２９】
次に、ステップＳ２０では、システム制御部１５は、システム時計部１３を参照して現在時刻が設定されたかどうかを判断する。設定された（ＹＥＳ）場合には、システム制御部１５は、現在時刻設定動作を終了する。
【００３０】
例えば１分間受信を行っても現在時刻が設定されない場合、天候不順等により受信状況が悪い、放送事故により時刻情報が送出されていない、あるいはアンテナ線が外れている等の理由が考えられる。このとき、受信するデジタル放送波の種別を変更することにより時刻情報の取得が期待できる。チャンネルに関しては、受信実績のあるチャンネルとするのが確実であるので、受信履歴情報を利用する。
【００３１】
ステップＳ２０で現在時刻が設定されない（ＮＯ）場合、ステップＳ３０に進み、システム制御部１５は、受信履歴管理部１６に蓄積された受信履歴情報に基づいて、ＢＳデジタル放送、１１０度ＣＳデジタル放送、地上デジタル放送それぞれについて受信を行ったかどうかを判断する。
【００３２】
受信していない放送波種別がある（ＮＯ）場合は、ステップＳ４０に進み、システム制御部１５は、受信するデジタル放送波の種別を変更する。そして、ステップＳ１０に戻り、システム制御部１５は、受信履歴管理部１６に蓄積された受信履歴情報に基づいて、新たなデジタル放送波で最後に受信を行ったチャンネルを選局する。例えば、ＢＳデジタル放送の１０３チャンネルから地上デジタル放送の０１１チャンネルに切り替えるように、システム制御部１５は、選局指示を地上デジタル放送用チューナ部２に出力する。
【００３３】
ステップＳ３０ですべてのデジタル放送波種別について選局した（ＹＥＳ）場合、つまり、すべてのデジタル放送波種別について受信を行っても現在時刻が設定されない場合、デジタル放送波からは現在時刻情報の取得が行えない状況であると考えられるため、ステップＳ５０では、システム制御部１５は現在時刻設定動作を中止する。
【００３４】
このように、本発明の実施の形態に係るデジタル放送受信装置によれば、受信履歴管理部１６に受信履歴情報を蓄積し、この受信履歴情報に基づいて複数のデジタル放送波を順次切り替えて受信して現在時刻情報を取得し、この現在時刻情報に基づいて現在時刻設定を行うので、デジタル放送受信装置が通電された際にユーザ操作を介することなく現在時刻設定動作を行い、一部のデジタル放送波において受信状況が悪い場合でもより確実に現在時刻設定を行うことができ、待機中に停電等が発生しても復帰後に予約録画や予約視聴等の時刻に基づく動作を実施することが可能となる。
【００３５】
さらに、デジタル放送受信装置が備える時計をバッテリなどでバックアップする必要がなくなるため、製造コストを安くすることができる。
【図面の簡単な説明】
【００３６】
【図１】本発明の実施の形態に係るデジタル放送受信装置の構成を示すブロック図である。
【図２】図１に示すデジタル放送受信装置の現在時刻設定動作を示すフローチャートである。
【符号の説明】
【００３７】
１    地上デジタル放送用アンテナ
２    地上デジタル放送用チューナ部
３    ＢＳ／１１０度ＣＳデジタル放送用アンテナ
４    ＢＳ／１１０度ＣＳデジタル放送用チューナ部
５    多重分離部
６    映像デコード部
７    音声デコード部
８    時刻情報処理部
９    映像信号処理部
１０    音声信号処理部
１１    映像表示部
１２    音声出力部
１３    システム時計部
１４    操作入力部
１５    システム制御部
１６    受信履歴管理部
１７    電源部
【図１】
2007027855.tif 000003
【図２】
2007027855.tif 000004